(57)【要約】【課題】二地点間伝送技術を用いた表示装置を提供する。【解決手段】本発明の表示装置は、スマートパネルおよび画像プロセッサを備える。ここで、スマートパネルは、ピクセルアレイに結合され、画像データをピクセルアレイに伝送してピクセルアレイ内の複数のピクセルを駆動する複数のソースドライバＩＣを備える。さらに、画像プロセッサは、複数の画像データバスを介して、ソースドライバＩＣのそれぞれと結合する。各画像データバスは、１つのソースドライバＩＣと対応する。【選択図】図２
2007156425.tif 000002
【特許請求の範囲】
【請求項１】
スマートパネルであって、
アレイ状に配列される複数のピクセルを有するピクセルアレイと、
前記ピクセルアレイに結合され、それぞれ、画像データを前記ピクセルアレイに伝送し、前記ピクセルの各々を駆動する複数のソースドライバＩＣと、
を含む、スマートパネルと、
複数の画像データバスを介して前記ソースドライバＩＣのそれぞれに結合された画像プロセッサであって、該画像データバスの各々は該ソースドライバＩＣの１つとそれぞれ対応する、画像プロセッサと、
を備えた、二地点間伝送技術を用いた表示装置。
【請求項２】
前記画像プロセッサから前記ソースドライバＩＣの各々に出力信号を伝送するコネクタをさらに備える、請求項１の二地点間伝送技術を用いた表示装置。
【請求項３】
前記画像データバスの各々は、
赤画像データを対応するソースドライバＩＣに伝送する赤画像データ伝送線と、
緑画像データを対応するソースドライバＩＣに伝送する緑画像データ伝送線と、
青画像データを対応するソースドライバＩＣに伝送する青画像データ伝送線と、
を少なくとも備える、請求項１の二地点間伝送技術を用いた表示装置。
【請求項４】
前記画像データバスの各々は、
赤画像データを対応するソースドライバＩＣに伝送する一対の赤画像データ伝送線と、
緑画像データを対応するソースドライバＩＣに伝送する一対の緑画像データ伝送線と、
青画像データを対応するソースドライバＩＣに伝送する一対の青画像データ伝送線と、
を少なくとも含む、請求項３の二地点間伝送技術を用いた表示装置。
【請求項５】
ガンマ補正電圧を生成して前記ソースドライバＩＣに与えるガンマ補正生成器をさらに備える、請求項１の二地点間伝送技術を用いた表示装置。
【請求項６】
前記画像プロセッサは、前記ソースドライバＩＣに制御クロック信号を与える、請求項１の二地点間伝送技術を用いた表示装置。
【発明の詳細な説明】
【技術分野】
【０００１】
本発明は表示装置に関し、より詳細には、スマートパネルに二地点間伝送技術を適用した表示装置に関する。
【背景技術】
【０００２】
表示パネルに高い統合性を与えるために、パネル規格作業グループ(Panel Standard Work Group)（ＰＳＷＧ）によりスマートパネル構成が提案されている。そのようなスマートパネル構成では、パネルのタイミングを制御するための既存の機能およびパネルモジュール構成におけるシステム側の画像プロセッサが１つのものとして統合される。従って、パネルに付加的なタイミングコントローラが必要でないため、モジュールの材料費を低減するという効果が得られる。
【発明の開示】
【発明が解決しようとする課題】
【０００３】
スマートパネルについては、タイミング制御回路がシステムボード上で統合される。しかしながら、実際には、スマートパネルはドライバを統合するだけであり、画像データを受信するために、コネクタを介してシステムボード上の画像プロセッサと接続する必要がある。ＳＸＧＡ解像度を有するパネルについては、スマートパネルと接続するドライバが必要とする制御信号および画像データを伝送するために、２つのコネクタが画像プロセッサにより用いられる。図１Ａおよび図１Ｂは、ＳＸＧＡ解像度を有する従来のスマートパネルにおいて用いられるコネクタのピン定義テーブルを概略的に示す。ここで、図１Ａは第１のコネクタにおける各ピンの定義を規定し、図１Ｂは第２のコネクタにおける各ピンの定義を規定する。
【０００４】
それゆえ、本発明の目的は、二地点間伝送技術を用いた表示装置を提供することである。そのような二地点間伝送技術を用いることにより、データ伝送線の数が効果的に減少し、コネクタの数も低減するため、製造費を低減するという効果が得られる。ここで、いわゆる「二地点間伝送技術」とは、パネルのタイミングを制御する画像プロセッサとソースドライバＩＣ間の伝送プロトコルにおいて、直列データ伝送ではなく、二地点間データ伝送を適用するものである。
【課題を解決するための手段】
【０００５】
本発明は、二地点間伝送技術を用いた表示装置を提供する。この表示装置は、スマートパネル、およびパネルのタイミングを制御する画像プロセッサを備える。ここで、スマートパネルは、ピクセルアレイに結合され、画像データをピクセルアレイに伝送してピクセルアレイ内の複数のピクセルを駆動する複数のソースドライバＩＣを備える。さらに、システム側の画像プロセッサは、複数の画像データバスおよびコネクタを介して、ソースドライバＩＣのそれぞれと結合する。各画像データバスは、１つのソースドライバＩＣと対応する。
【０００６】
本発明の１つの実施形態では、スマートパネルの解像度がＳＸＧＡである場合、画像プロセッサをソースドライバＩＣと結合するために１つのコネクタしか必要とせず、コネクタは５０本のピンを有する。
【０００７】
さらに、上述した画像データバスの各々は、少なくとも、赤画像データ、緑画像データおよび青画像データを、それぞれ、各ソースドライバＩＣに伝送する赤画像データ伝送線、緑画像データ伝送線および青画像データ伝送線を含む。
【０００８】
添付の図面は、本発明のさらなる理解をはかるために組み入れられており、本明細書の一部を構成するものとして組み込んでいる。これらの図面は、本発明の実施形態を例示し、下記の説明とともに、本発明の原理を説明するものである。
【発明を実施するための最良の形態】
【０００９】
図２は、本発明の好適な実施形態による二地点間伝送技術を用いた表示装置の部分回路ブロック図を概略的に示す。ここで、いわゆる「二地点間伝送技術」とは、パネルのタイミングを制御する画像プロセッサとソースドライバＩＣ間の伝送プロトコルにおいて、直列データ伝送ではなく、二地点間データ伝送を適用するものである。図２を参照して、本発明により提供される表示装置３００は、画像プロセッサ３０１およびスマートパネル３０３を備える。ここで、スマートパネル３０３は、ドライバＩＣ３１１、３１３、３１５、３１７、３１９、３２１、３２３および３２５等の複数のドライバＩＣを備える。さらに、各ドライバＩＣは、複数のデータ線（例えば、ＤＬｉ）を介してピクセルアレイ３２７と結合する。
【００１０】
当業者に周知のように、ピクセルアレイ３２７は、ＤＬｉ等の複数のデータ線、およびそれぞれがデータ線と直交して配列されるＳＬｊ等の複数の走査線を含む。さらに、ピクセル３２９等のピクセルが、各データ線と走査線の交差部分に配置される。ここで、各ドライバは、ピクセルアレイ３２７内のピクセルをそれぞれ駆動するために、画像データを、接続されたデータ線からピクセルアレイ３２７に順次伝送する。
【００１１】
本発明では、画像プロセッサ３０１は、複数の画像データバス（例えば、３３１〜３４５）を介して、それぞれ対応するソースドライバＩＣ３１１〜３２５に結合される。ここで、各画像データバスは、それぞれ、１つのソースドライバＩＣと対応する。例えば、画像データバス３３１、３３３、３３５、３３７、３３９、３４１、３４３および３４５は、それぞれ、ソースドライバＩＣ３１１、３１３、３１５、３１７、３１９、３２１、３２３および３２５と対応する。
【００１２】
各画像データバスは、少なくとも、赤画像データ伝送線（例えば、Ｒ１〜Ｒ８）、緑画像データ伝送線（例えば、Ｇ１〜Ｇ８）および青画像データ伝送線（例えば、Ｂ１〜Ｂ８）を含む。画像プロセッサ３０１は、これら赤、緑および青画像データ伝送線を用いて、読み出された緑および青画像データを、それぞれ、対応するソースドライバＩＣ３１１〜３２５に伝送する。
【００１３】
また、画像プロセッサ３０１は、さらに、制御クロック信号ＣＬＫを生成して各ソースドライバＩＣに与える。本実施形態では、表示装置３００は、ガンマ補正電圧を生成し、各ソースドライバＩＣに与えてガンマ補正を行なうガンマ補正生成器３５１をさらに備える。
【００１４】
図２には８つのソースドライバＩＣが存在するが、本発明はこれに限定されない。ＳＸＧＡ解像度については、回路設計者は、ピクセルアレイ内のピクセルを駆動するために、それぞれが３８４本のチャネルを有する１０個のソースドライバＩＣを用いることができる。それぞれが３８４本のチャネルを有する１０個のソースドライバＩＣを用いた場合、画像プロセッサは、スマートパネル上の全てのソースドライバＩＣと接続するために、５０本のピンを備えた接続部を１つしか必要としない。図３は、本発明の１つの実施形態によるコネクタのピン定義テーブルを概略的に示す。図３に示すように、本発明では、画像プロセッサの出力信号をスマートパネル上の全てのソースドライバＩＣに接続するために、５０本のピンを備えたコネクタを１つしか必要としない。
【００１５】
他の選択的な実施形態では、周波数分割法を適用することにより電磁干渉（ＥＭＩ）が低減される。そのような場合、各ソースドライバＩＣは、２組の赤、緑および青画像データを受信する。一方、設計者は、それぞれが６４２本のチャネルを有する６つのソースドライバＩＣを選択してピクセルアレイ内のピクセルを駆動することができる。同様に、設計者は、５０本のピンを備えたコネクタを１つ選択するだけで画像プロセッサの出力信号をスマートパネル上の全てのソースドライバＩＣに接続することができる。図４は、それぞれが６４２本のチャネルを有する６つのソースドライバＩＣが用いられた場合に適した本発明の他の実施形態によるコネクタのピン定義テーブルを概略的に示す。
【００１６】
図３および図４はコネクタに関するピン定義テーブルを規定するが、本発明はこれに限定されない。当業者は、物理的要件に基づいて、コネクタの各ピンの機能を定義することができる。
【００１７】
要約すると、本発明では二地点間伝送技術が適用されるため、バスのビット数が効果的に減少する。従って、画像プロセッサの出力を全てのソースドライバＩＣに接続するために必要とされるコネクタの数が少なくなる。さらにまた、コネクタの数が低減されるため、本発明により提供される表示装置の製造費が減少する。
【００１８】
本発明を特定の実施形態について説明したが、本発明の精神から逸脱することなく、説明した実施形態を修正できることは当業者には明白である。よって、本発明の範囲は、上記の詳細な説明ではなく、請求の範囲により規定される。
【図面の簡単な説明】
【００１９】
【図１Ａ】従来のスマートパネルにおいて用いられるコネクタのピン定義テーブルを概略的に示すもので、第１のコネクタにおける各ピンの定義を規定する。
【図１Ｂ】従来のスマートパネルにおいて用いられるコネクタのピン定義テーブルを概略的に示すもので、第２のコネクタにおける各ピンの定義を規定する。
【図２】本発明の好適な実施形態による二地点間伝送技術を用いた表示装置の部分回路ブロック図を概略的に示す。
【図３】本発明の１つの実施形態によるコネクタのピン定義テーブルを概略的に示す。
【図４】本発明の他の実施形態によるコネクタのピン定義テーブルを概略的に示す。
【符号の説明】
【００２０】
３００  表示装置
３０１  画像プロセッサ
３０３  スマートパネル
３１１  ドライバＩＣ
３２７  ピクセルアレイ
３２９  ピクセル
３３１  画像データバス
３５１  ガンマ補正生成器
【図１Ａ】
2007156425.tif 000003
【図１Ｂ】
2007156425.tif 000004
【図２】
2007156425.tif 000005
【図３】
2007156425.tif 000006
【図４】
2007156425.tif 000007